(57)【要約】【課題】  幼児をケアしやすいベビーラックを提供する。【解決手段】  ベビーラック１は一対の側板２０，２０と、シート本体３０とを備えている。シート本体３０は側板間２０，２０に配置されている。側板２０に、ボックス本体４１とボックス本体４１に装着される蓋体５７とを有する収納ボックス４０が取り外し自在に設けられている。【選択図】  図１
2005287639.tif 000002
【特許請求の範囲】
【請求項１】
一対の側板と、
側板間に配置され、少なくとも座部と背部とを有するシート本体とを備え、
側板に、ボックス本体とボックス本体に装着される蓋体とを有する収納ボックスを、取り外し自在に設けたことを特徴とするベビーラック。
【請求項２】
収納ボックスは、収納ボックス内に配置され、略長方形の略平板状からなるととともに中央に細長い開口を設けられた押さえプレートと、押さえプレートを収納ボックスに連結するためのゴムバンドとをさらに有し、
押さえプレートは、収納ボックスに幼児用おしり拭きパックを固定することを特徴とする請求項１記載のベビーラック。
【請求項３】
収納ボックスはボックス本体に取り外し自在に装着され、押さえプレートを保持する仕切体をさらに有し、
押さえプレートは仕切体にゴムバンドを介して連結され、仕切体の側壁との間で幼児用おしり拭きパックを挟持することを特徴とする請求項２記載のベビーラック。
【請求項４】
押さえプレートは蓋体にゴムバンドを介して連結され、蓋体との間で幼児用おしり拭きパックを挟持することを特徴とする請求項２記載のベビーラック。
【請求項５】
収納ボックスはコップ状ケースをさらに有し、このコップ状ケースはボックス本体内部またはボックス本体外部に固定されることを特徴とする請求項１記載のベビーラック。
【発明の詳細な説明】
【技術分野】
【０００１】
本発明は、新生児、乳児および児童を含む幼児の椅子としてまた寝台として用いられるベビーラックに関する。
【背景技術】
【０００２】
ベビーラックとして、下方端にキャスターを設けられた左右一対の前脚および後脚と、各前脚および各後脚の上方端に連結された左右一対の側板と、一対の側板間に配置されるとともに各側板に被さる一対のアームレストを有するシート本体とを備えたものが開発されている（特許文献１）。
【０００３】
特許文献１に開示されたベビーラックにおいて、シート本体はアームレストの他に、座部と、座部の下方に連結された脚部と、座部の上方に連結された背部と、背部の上方に連結されたヘッドレストとを有している。これら各部は連結箇所において互いに対して揺動自在となっている。このため、ベビーラックは、幼児の椅子として機能するとともに、脚部と座部と背部とを略平行に配置することにより幼児の寝台としても機能する。
【０００４】
また、前脚および後脚は側板に対して揺動自在となっている。したがって、前脚および後脚を側板に対して揺動させることにより、シート本体の位置を高くしたり、低くしたりすることができる。
【０００５】
このようなベビーラックは、幼児のおしめを替える際や、入浴後に幼児の手入れをする際等の寝台としても用いられている。このため、後脚の下方部に、後脚間を連結するとともに、おしめや綿棒等のケア用品を収納することができる収納ボックスを設けたベビーラックも市販されている。
【特許文献１】特開２００３−２４１８９号公報
【発明の開示】
【発明が解決しようとする課題】
【０００６】
ベビーラック上で幼児のおむつ替えや、入浴後の手入れをする場合、通常、保護者はベビーラックの前方側から幼児のケアを行う。
【０００７】
しかしながら、特許文献１に開示されたベビーラックにおいて、収納ボックスは、幼児のケアを行っている保護者の手が届かない位置に配置されている。
【０００８】
このため、保護者はベビーラックの前方から後方に移動しなければならず、これは煩雑である。また、この際、保護者の目が幼児から離れてしまうので好ましくない。
【０００９】
本発明はこのような点を考慮してなされたものであり、幼児をケアしやすいベビーラックを提供することを目的とする。
【課題を解決するための手段】
【００１０】
本発明は、一対の側板と、側板間に配置され、少なくとも座部と背部とを有するシート本体とを備え、側板に、ボックス本体とボックス本体に装着される蓋体とを有する収納ボックスを、取り外し自在に設けたことを特徴とするベビーラックである。
【００１１】
本発明は、収納ボックスは、収納ボックス内に配置され、略長方形の略平板状からなるととともに中央に細長い開口を設けられた押さえプレートと、押さえプレートを収納ボックスに連結するためのゴムバンドとをさらに有し、押さえプレートは、収納ボックスに幼児用おしり拭きパックを固定することを特徴とするベビーラックである。
【００１２】
本発明は、収納ボックスはボックス本体に取り外し自在に装着され、押さえプレートを保持する仕切体をさらに有し、押さえプレートは仕切体にゴムバンドを介して連結され、仕切体の側壁との間で幼児用おしり拭きパックを挟持することを特徴とするベビーラックである。
【００１３】
本発明は、押さえプレートは蓋体にゴムバンドを介して連結され、蓋体との間で幼児用おしり拭きパックを挟持することを特徴とするベビーラックである。
【００１４】
本発明は、収納ボックスはコップ状ケースをさらに有し、このコップ状ケースはボックス本体内部またはボックス本体外部に固定されることを特徴とするベビーラックである。
【発明の効果】
【００１５】
本発明によれば、ベビーラックの前方側から幼児をケアする保護者は、その位置から動くことなく片手でだけで容易に収納ボックスからケア用品を取り出すことができる。このため、保護者は幼児から目を離すことなく、幼児のケアを容易かつスムースに行うことができる。
【発明を実施するための最良の形態】
【００１６】
以下図面を参照して本発明の実施の形態について説明する。
【００１７】
図１乃至図７は本発明によるベビーラックの一実施の形態を示す図である。
【００１８】
このうち、図１はベビーラックの斜視図であり、図２は収納ボックスを取り外した状態のベビーラックの斜視図であり、図３は収納ボックスを取り外した状態のベビーラックの側面図である。
【００１９】
図１乃至図３に示すように、ベビーラック１は、下方端にキャスター１４を設けられた左右一対の前脚１０，１０および後脚１５，１５と、各前脚１０，１０および各後脚１５，１５の上方端に連結された左右一対の側板２０，２０と、一対の側板２０，２０間に配置されるシート本体３０と、側板２０に取り外し自在に設けられるとともにボックス本体４１とボックス本体４１に装着される蓋体５７と有した収納ボックス４０とを備えている。
【００２０】
このようなベビーラック１は、図２に示すように幼児用の椅子として用いることができるとともに、図１に示すように幼児用の寝台としても用いることができる。
【００２１】
まず、図１乃至図３により、一対の前脚１０および後脚１５と、一対の側板２０，２０と、シート本体３０とを備えたベビーラック本体２について説明し、収納ボックス４０については後述する。
【００２２】
まず、ベビーラック本体２の一対の側板２０，２０について詳述する。
【００２３】
各側板２０は、ベビーラック１の前後方向に延びる側板ベース部２１と、側板ベース部２１の前方下方に固定された後脚保持部２３と、側板ベース部２１の後方下方に設けられた前脚保持部２２とを有している。このうち、前脚保持部２２は、側板ベース部２１に対してベビーラック１の前後方向に沿って摺動自在となるように（図２および図３）、側板ベース部２１へ取り付けられている。
【００２４】
また、ベビーラック１の正面視右側に配置される側板２０は、ベビーラック１の幅方向外方に向く側板ベース部２１の外側面２１ａに取り付けられた保持板２４をさらに有している。保持板２４は、前脚保持部２２と後脚保持部２３との間に配置され、側板ベース部２１の下方から一部突出している。この突出部に２つの開口２４ａ，２４ａが設けられている。各開口２４ａはベビーラック１の前後方向に延びるとともにその後方端においてさらに下方に延びており、全体としてＬ字状となっている。また、各開口２４ａの前方端２４ｂは、他の部分に比べて開口幅が広くなっている。なお、後述する収納ボックス４０はこの保持板２４を介して側板２０に取り外し自在に装着される。
【００２５】
次に前脚１０および後脚１５についてさらに詳述する。
【００２６】
図１および図２に示すように、一対の前脚１０，１０は、その上方端を各側板２０の前脚保持部２２に揺動自在に連結され、各前脚保持部２２から前方下方に向けて延びている。前脚１０の中間部には、一対の前脚１０，１０間を連結する連結杆１１が設けられている。他方、一対の後脚１５，１５は、その上方端を各側板２０の後脚保持部２３に揺動自在に連結され、各後脚保持部２３から後方下方に向けて延びている。後脚１５の中間部には、一対の後脚１５，１５間を連結する連結杆１６が設けられている。各前脚１０と各後脚１５とは、それぞれの中間部において互いに対して回動自在に連結され、ベビーラック１の側面視においてＸ字状に配置されている。
【００２７】
また、前脚１０を図２おいて時計回り方向に前脚保持部２２に対して揺動させ、後脚１５を図２おいて反時計回り方向に後脚保持部２３に対して揺動させることにより、ベビーラック１のシート本体３０の位置を下げることができる（図３）。このとき、前脚１０と後脚１５とは連結箇所を中心として互いに対して回動するとともに、前脚１０の上方端と後脚１５の上方端とが離間するよう、前脚保持部２２はベビーラック１の後方に向けて側板ベース部２１に対して摺動する。
【００２８】
次にシート本体３０についてさらに詳述する。
【００２９】
図１および図２に示すように、シート本体３０は、座部３１と、座部３１の前方に揺動自在に連結された脚部３２と、座部３１の後方に揺動自在に連結された背部３３と、背部３３の上方に揺動自在に連結されたヘッドレスト３４とを有している。また、背部３３と脚部３２との間および背部３３とヘッドレスト３４との間を連結する図示しないリンクが設けられている。このリンクにより、背部３３の座部３１に対する揺動に連動して、脚部３２が座部３１に対して揺動するとともに、ヘッドレスト３４が背部３３に対して揺動するようになっている。
【００３０】
すなわち、図１に示すように各部３１，３２，３３，３４が平らに配置されている状態から、背部３３が座部３１に対して上方に向けて揺動させられると、脚部３２とヘッドレスト３４とが背部３３の動きに連動して揺動する。これにより、シート本体３０は図２に示す状態となり、ベビーラック１は椅子として機能する。また逆に、図２に示す状態から、背部３３が座部３１と平行となるように揺動させられると、脚部３２とヘッドレスト３４とが背部３３の動きに連動して揺動し、シート本体３０は図１に示す状態となりベビーラック１は寝台として機能する。
【００３１】
また、図１乃至図３に示すように、シート本体３０は、座部３１の両側方にそれぞれ設けられた一対のアームレスト３６をさらに有している。アームレスト３６は、下方に開放した中空状からなるアームレスト本体３６ａと、アームレスト本体３６ａの前方上方に設けられるとともにアームレスト本体３６ａに対して揺動自在な揺動板３６ｂとを有している。
【００３２】
このような構成からなるシート本体３０は、側板２０の下方間に設けられたロッキング機構７０を介して各側板２０に連結されている。このとき、座部３１と背部３３と脚部３２は、側板２０，２０間に配置されるとともに、アームレスト本体３６ａは側板２０に一部被さる。また、このロッキング機構７０により、シート本体３０は各側板２０に対し、ベビーラック１の前後方向に揺れ動くことができるようになっている。
【００３３】
なお、このようなベビーラック本体２を実際に使用する際には、シート本体３０上にクッション（図示せず）が配置される。
【００３４】
次に、図１および図４乃至図６により、ベビーラック本体２に取り外し自在に装着される収納ボックス４０について詳述する。
【００３５】
なお、図４は保持板２４に装着された収納ボックス４０の蓋体５１を開いた状態における平面図であり、図５は図４中の線５−５に沿った断面図であり、図６は収納ボックス４０内に配置される仕切体４７の斜視図である。
【００３６】
収納ボックス４０は上述したようにボックス本体４１とボックス本体４１に装着される蓋体５７とを有している。また、図１および図４乃至図６に示すように、収納ボックス４０は断面が略四角形状でベビーラック１の前後方向に延び、収納ボックス４０の前後方向各端部は曲面状となっている。
【００３７】
このような収納ボックス４０は、図４乃至図６中に二点鎖線で示す紙おむつ６やおしり拭き７等の幼児用のケア用品を収納するためのものである。蓋体５７はヒンジ４２を介して開閉自在にボックス本体４１に連結されており、留具４３によりボックス本体４１に対して閉じた状態に保持されるようになっている。なお、蓋体５７をボックス本体４１に装着した状態を図５に実線で示すとともに、蓋体５７をボックス本体４１から開いた状態を図５に二点鎖線で示す。
【００３８】
まず、ボックス本体４１について詳述する。
【００３９】
図５に示すように、ボックス本体４１は、上方およびベビーラック本体２に面しない側の側方が開放された断面略Ｌ字状からなっている。
【００４０】
ボックス本体４１のベビーラック本体２に面する側の側面４１ａには、ベビーラック本体２の側板２０に設けられた保持板２４の開口２４ａに係合する突起４４が突設されている。図４および図５に示すように、突起４４は幅の太い先端部４４ａと、幅の細い中間部４４ｂとを有している。この先端部４４ａの幅は、保持板２４の開口２４ａの前方端２４ｂにおける開口幅より細く、前方端２４ｂ以外の部分の開口幅より太くなっている。他方、中間部４４ｂの幅は側板の開口２４ａのいずれの部分の開口幅よりも細くなっている。
【００４１】
次に蓋体５７について説明する。
【００４２】
ボックス本体４１の開放した上方と側方とを覆う蓋体５７は、断面弧状からなっている（図１および図５）。蓋体５７はボックス本体４１に装着された際に上方中央となる部分に、取手５８を有している。取手５８の両端部５８ａ，５８ａ側は開口５７ａを介して収納ボックス４０内側に配置されており、図５に二点鎖線で示すように必要に応じて取手５８を引き出すことができるようになっている。なお、取手５８が蓋体５７から抜け落ちてしまうことのないよう、取手５８の両端部５８ａ，５８ａの幅は広くなっている。
【００４３】
また、図４および図５に示すように、収納ボックス４０は収納ボックス４１内を小分けするための仕切体４７をさらに有している。仕切体４７は、ボックス本体４１の下面４１ｂに設けられた本体係合溝４１ｃを介し、ボックス本体４１内に取り外し自在に装着されている（図５）。図４および図６に示すように、仕切体４７は収納ボックス４０の長手方向（ベビーラック１の前後方向）に沿って延びる平板状の第１側壁４８と、第１側壁４８の下端近傍から一側（ベビーラック１の幅方向外側（図４および図５））に向けて突設された平板状の底部４９と、第１側壁４８の一端側（ベビーラック１の前後方向前側（図４））から収納ボックス４０の内形状に沿って折り返して延びる第２側壁５０と、第１側壁４８の他端側（ベビーラック１の前後方向後側（図４））から収納ボックス４０の内形状に沿って折り返して延びるとともにさらに方向を変えて第１側壁４８に向かって延びる第３側壁５１とからなっている。
【００４４】
また、図６に示すように、第１側壁４８と第２側壁５０との間にこれらを連結する補助仕切体５２が設けられている。補助仕切体５２は、第１側壁４８と第２側壁５０とにそれぞれ設けられた仕切体係合溝４８ａ，５０ａに係合し、第１側壁４８と第２側壁５０との間に取り外し自在に装着されている。
【００４５】
このような構成からなる仕切体４７および補助仕切体５２により、図４に示すように、収納ボックス４０は、第１側壁４８と第２側壁５０と底部４９と補助仕切体５２とによって区画された第１小分け部４０ａと、第１側壁４８と第３側部壁５１と底部４９とによって区画された第２小分け部４０ｂと、第１小分け部４０ａと第２小分け部４０ｂとの間に配置された第３小分け部４０ｃと、第１側壁４８を挟んで第１乃至第３小分け部４０ａ，４０ｂ，４０ｃの反対側に設けられた第４小分け部４０ｃとに分割される。
【００４６】
ところで、図４乃至図６に示すように、収納ボックス４０は、収納ボックス４０内に配置され、略長方形の略平板状からなるとともに中央に細長い開口５３ａを設けられた押さえプレート５３と、押さえプレート５３を仕切体４７の第１側壁４８に連結するための一対のゴムバンド５４，５４とをさらに有している。第３小分け部４０ｃに対応する仕切体４７の第１側壁４８にコ字状の一対の貫通溝４８ｂ，４８ｂが設けられるとともに、押さえプレート５３の四隅近傍にはそれぞれ係止爪５３ｂが設けられている（図６）。この貫通溝４８ｂおよび係止爪５３ｂとゴムバンド５４（図６における一点鎖線）とを係合させることにより、押さえプレート５３は仕切体４７にゴムバンド５４を介して連結される。これにより、押さえプレート５３は収納ボックス４０の第３小分け部４０ｃにおいて、仕切体４７との間で幼児用おしり拭きパック７を挟持して固定することができる。
【００４７】
なお、幼児用おしり拭きパック７とは、ウェット状の布等からなるおしり拭きを収納する使い捨てのパックであり、おしり拭きは排泄後等に幼児のおしりに付着した汚れを拭き取るために用いられる。おしり拭きを収納した幼児用おしり拭きパック７は、通常、略直方体状からなるとともに、その最も面積の広い面の中央におしり拭きを取り出すための細長い取出開口７ａを有している。また、おしり拭きのウェット状態を維持するために、幼児用おしり拭きパック７は内部の湿度を維持することができる薄い包装用シートから形成されるとともに、取出開口７ａを覆うテープ７ｂが貼り付けられている（図６）。
【００４８】
ところで、上述した収納ボックス４０と仕切体４７との大きさは、本実施の形態において以下のように決定されている。すなわち、図４に示すように、市販されている中で最も大きい紙おむつ６を第４小分け部４０ｄに４枚収納することができ、幼児用おしり拭きパック７を第３小分け部４０ｃに収納することができるようになっている。また、第１小分け部４０ａの形状と第２小分け部４０ｂの形状とは対称となっており、少なくとも補助仕切体５２を取り外すことにより、市販されている中で最も大きさの大きい幼児用おしり拭きパック７を第３小分け部４０ｃから第１小分け部４０ａにかけて収納することができるようなっている。
【００４９】
以上のような構成からなる本実施の形態の作用について説明する。
【００５０】
ベビーラック本体２のシート本体３０は、図２に示すように座部３１に対して背部３３を略垂直に配置した場合、図示しないリンクにより背部３３の座部３１に対する揺動に連動し、脚部３２が座部３１に対して垂直となるよう揺動され、ヘッドレスト３４は背部３３に対して傾斜するよう揺動される。これにより、ベビーラック１は図２に示す状態となり、幼児用の椅子として用いることができる。この場合、幼児はこのようなベビーラック１に座って、食事をしたり、本を読んだりすることができる。
【００５１】
また、図２示す状態から背部３３を座部３１に対して平行となるように揺動させた場合、図示しないリンクにより背部３３の座部３１に対する揺動に連動し、脚部３２が座部３１に対して平行となるように揺動されるともに、ヘッドレスト３４は起きあがるように揺動される。これにより、ベビーラック１は図１に示す状態となり、幼児用の寝台として用いることができる。
【００５２】
この場合、ベビーラック１上に幼児を寝かせておむつ替えや、入浴後の手入れをすることができる。この際、ケア用品を収納した収納ボックス４０はベビーラック１の正面視右側の側板に取り付けられているので、ベビーラック１の前方側から幼児をケアする保護者は、その位置から動くことなく右手で収納ボックス４０からケア用品を取り出すことができる。したがって、保護者は幼児から目を離すことなく、幼児のケアを容易かつスムースに行うことができる。
【００５３】
また、収納ボックス４０のボックス本体４１は、ベビーラック本体２に面しない側の側方が開放している。このため、図１に示すように、幼児をケアしやすいようにシート本体３０のアームレスト３６の揺動板３６ｂが外方に揺動させられたとしても、収納ボックス４０からケア用品を容易に取り出すことができる。
【００５４】
さらに、ボックス本体４１内は仕切体４７によって、第１小分け部４０ａから第４小分け部４０ｄに区分けされている。このうち、第４小分け部４０ｄは紙おむつ６を収納し、第３小分け部４０ｃに幼児用おしり拭きパック７を収納し、さらに第１小分け部４０ａおよび第２小分け部４０ｂに綿棒、爪切り用はさみ等を収納することができる。このように、収納ボックス４０内に幼児のケアに必要なすべてのケア用品が使いやすく収納されており、使い勝手が非常によい。また、補助仕切体５２を取り外すことにより、大きさの大きい幼児用おしり拭きパック７も収納することができる。
【００５５】
さらにまた、本実施の形態によれば、幼児用おしり拭きパック７は押さえプレート５３と仕切体４７とによって挟持され、押さえプレート５３の開口５３ａを介し幼児用おしり拭きパック７のテープ７ｂを剥がすとともに、取出開口７ａからおしり拭きを取り出すことができるようになっている。したがって、一方の手で幼児用おしり拭きパック７押さえながら他方の手で幼児用おしり拭きパック７からおしり拭きを取り出す必要がない。このため、保護者は幼児から注意をそらすことなく、片手だけでおしり拭きを幼児用おしり拭きパック７から容易に取り出すことができる。また、おしり拭きを取り出すことにより幼児用おしり拭きパック７の厚みが変化したとしても、押さえプレート５３はゴムバンド５４によって常に幼児用おしり拭きパック７を仕切体４７に向けて押圧した状態となっている。したがって、おしり拭きの残量が少なくなったとしても、おしり拭きを開口から取り出す際に、幼児用おしり拭き用パック７まで引き出されてしまうことを防止することができる。
【００５６】
さらに、収納ボックス４０は、突起４４を保持板２４の開口２４ａに係合させることにより、側板２０に装着されている。この突起４４を保持板２４の開口２４ａに沿って前方端２４ｂまで移動させることにより、収納ボックス４０は側板２０から取り外される。このように、収納ボックス４０をベビーラック本体２から容易に取り外すことができるとともに、外出時に持ち出して利用することができる。
【００５７】
ところで、ベビーラック本体２のシート本体３０は側板２０の下方間に設けられたロッキング機構７０を介して各側板２０，２０に連結されている。このため、ベビーラック１上で幼児を寝かせる際には、ロッキング機構７０によってシート本体３０を各側板２０，２０に対して前後方向に揺れ動かすことができる。これにより、ベビーラック１上で幼児をスムースに眠らせることができる。また、側板２０に対して前脚１０および後脚１５を揺動させることにより、シート本体３０の位置を低くすることができる。このため、ベビーラック１上に幼児を寝かせても安全である。
【００５８】
以上のように本実施の形態によれば、ベビーラック１を椅子としておよび寝台として用いることができる。ベビーラック１を椅子として用いる場合には、ベビーラック１に幼児を座らせて、食事をさせたり、本を読ませたりすることができる。また、ベビーラック１を寝台として用いる場合には、ベビーラック１に幼児を寝かせておむつ替えや入浴後のケアをしたり、ベビーラック１上で昼寝させたりすることができる。
【００５９】
また、ベビーラック本体２の正面視右側に配置される側板２０にはケア用品を収納した収納ボックス４０が取り外し自在に装着されている。また、収納ボックス４０のボックス本体４１は、ベビーラック本体２に面しない側の側方が大きく開放している。したがって、ベビーラック１の前方側から幼児をケアする保護者は、その位置から動くことなく右手だけで収納ボックス４０からケア用品を取り出すことができる。このため、保護者は幼児から目を離すことなく、幼児のケアを容易かつスムースに行うことができる。
【００６０】
さらに、収納ボックス４０内には収納ボックス４０内を小分けするための仕切体４７が設けられている。また、収納ボックス４０は幼児のケアに必要なケア用品をすべて収納することができる大きさとなっている。さらに、仕切体４７内には取り外し自在の補助仕切体５２が設けられており、ケア用品の大きさに合わせて仕切体４７によって小分けされる容積を変更することができるようになっている。このため、収納ボックス４０は非常に使い易くなっている。また、このように使い勝手の良い収納ボックス４０はベビーラック本体２から容易に取り外すことができ、外出時に持ち出して利用することができる。
【００６１】
さらにまた、幼児用おしり拭きパック７は押さえプレート５３と仕切体４７とによって挟持されている。このため、保護者は幼児から注意をそらすことなく片手だけでおしり拭きを幼児用おしり拭きパック７から容易に取り出すことができる。また、ゴムバンド５４により、押さえプレート５３は常に幼児用おしり拭きパック７を仕切体４７に向けて押圧した状態となっている。このため、おしり拭きの残量が少なくなり幼児用おしり拭きパック７が薄くなったとしても、おしり拭きを開口５３ａから取り出す際に、幼児用おしり拭き用パック７が開口５３ａから引き出されてしまうことを防止することができる。
【００６２】
なお、本実施の形態において、収納ボックス４０がベビーラック１の正面視右側に配置される例を示したが、これに限られず、収納ボックス４０はベビーラック１の正面視左側に配置されてもよい。
【００６３】
また、本実施の形態において、図１および図４乃至図６により、仕切体４７と補助仕切体５２と押さえプレート５３とを有する収納ボックス４０の一例を示したが、これに限られず、図７および図８に示すような収納ボックス６０を用いてもよい。
【００６４】
図７および図８は収納ボックスの一変形例を示す斜視図である。図７および図８において、図１および図４乃至図６に示す収納ボックス４０と同一部分には同一符号を付して詳細な説明は省略する。
【００６５】
図７および図８に示すように、収納ボックス６０は略四角柱状からなり、ボックス本体６１とボックス本体６１に装着される蓋体６２とを有している。また、収納ボックス６０は、収納ボックス６０内に配置された平板状の仕切体４７と、コップ状ケース６４と、押さえプレート５３と、ゴムバンド５４とを有している。
【００６６】
仕切体６３は、収納ボックス６０の長手方向に直交する方向に延びる平板状からなっており、図８に示すように、ボックス本体６１に設けられた装着リブ６０ｃを介して取り外し自在に装着されている。この仕切体６３によって、収納ボックス６０は第１小分け部６０ａと第２小分け部６０ｂとに二分されている。
【００６７】
また、本実施の形態において、装着リブ６０ｃはボックス本体６１内に、ボックス本体６１の長手方向に沿って３つ設けられている（図８）。したがって、仕切体６３を異なる装着リブ６０ｃに装着することにより、第１小分け部６０ａと第２小分け部６０ｂとの大きさを変更することができる。なお、本実施の形態において、装着リブ６０ｃをボックス本体６１内に３つ設ける例を示したが、これに限られず、１つ、或いは２つ、或いはその他の個数設けてもよい。
【００６８】
コップ状ケース６４は、仕切体６３とボックス本体６１の側面６１ｂの外側とにそれぞれ設けられたフック６３ａ，６１ａ受けに係合する図示しないフックを有している。このフックと各フック受け６１ａ，６３ａとを係合させることにより、コップ状ケース６４を図７に示すようにボックス本体６１内部に配置された仕切体６３に固定したり、図８に示すようにボックス本体６１の側面６１ｂの外側に固定したりすることができる。さらに、図８に示すように、コップ状ケース６４はボックス本体６１の装着リブに係合する装着凸部６４ａを有している。したがって、仕切体６３を介すことなく、コップ状ケース６１を直接ボックス本体６１に装着することもできる。
【００６９】
押さえプレート５３は蓋体６２にゴムバンド５４を介して連結され、蓋体６２との間で幼児用おしり拭きパック７を挟持して固定している。
【００７０】
このような収納ボックス６０においては、第１小分け部６０ａに紙おむつ６が収納され、第２小分け部６０ｂの蓋体６２側に幼児用おしり拭きパック７が収納され、第２小分け部６０ｂのボックス本体６１側に綿棒等の他のケア用品が収納される。また、図８に示すようにコップ状ケース６４をボックス本体６１の外部に取り付けることにより、高さが高いため収納ボックス６０内に収納することができないボトル等をコップ状ケース６４内に収納することができる。さらに、蓋体６２が開かれた状態において、押さえプレート５３の開口５３ａが上方に向いているため、開口５３ａからおしり拭き容易に取り出すことができる。
【図面の簡単な説明】
【００７１】
【図１】本発明によるベビーラックの一実施の形態の斜視図。
【図２】収納ボックスを取り外した状態のベビーラックの斜視図。
【図３】収納ボックスを取り外した状態のベビーラックの側面図。
【図４】保持板に装着された収納ボックスの蓋体を開いた状態における平面図。
【図５】図４中の線５−５に沿った断面図。
【図６】収納ボックス内に装着される仕切体の斜視図。
【図７】収納ボックスの変形例を示す斜視図。
【図８】収納ボックスの変形例を示す斜視図。
【符号の説明】
【００７２】
１  ベビーラック
２  ベビーラック本体
６  紙おむつ
７  幼児用おしり拭きパック
２０  側板
３０  シート本体
４０  収納ボックス
４１  本体
４７  仕切体
５３  押さえプレート
５３ａ  開口
５４  ゴムバンド
５７  蓋体
６０  収納ボックス
６１  ボックス本体
６２  蓋体
６３  仕切体
６４  コップ状ケース
【図１】
2005287639.tif 000003
【図２】
2005287639.tif 000004
【図３】
2005287639.tif 000005
【図４】
2005287639.tif 000006
【図５】
2005287639.tif 000007
【図６】
2005287639.tif 000008
【図７】
2005287639.tif 000009
【図８】
2005287639.tif 000010